(57)【特許請求の範囲】
【請求項１】
記録媒体が装着される装着部と、
前記装着部を覆う閉位置または前記装着部を露出する開位置へ移動可能に設けられたカバーと、
該カバーを閉位置で係止する係止部材と、
手動操作により前記係止部材を係止解除位置へ移動させる手動操作部と、
イジェクト用制御信号の供給により駆動されるモータと、
該モータからの駆動力を伝達部材を介して伝達し、前記係止部材を係止解除位置へ移動させる駆動力伝達機構と、を備えており、
前記駆動力伝達機構は、前記手動操作部が係止解除方向に操作されたとき、前記係止部材を係止解除位置へ移動させる伝達部材をイジェクト動作前の位置へ復帰させるリセット機構を備えてなることを特徴とする記録媒体装着装置。
【請求項２】
前記請求項１記載の記録媒体装着装置であって、
前記リセット機構は、前記モータと前記伝達部材との間の駆動力伝達経路を分断させ、付勢部材の押圧力により前記伝達部材をイジェクト動作前の位置へ復帰させることを特徴とする記録媒体装着装置。
【発明の詳細な説明】
【０００１】
【発明の属する技術分野】
本発明は記録媒体装着装置に係り、特に開閉式のカバーを開いてディスク状記録媒体を取り出すよう構成された記録媒体装着装置に関する。
【０００２】
【従来の技術】
従来の記録媒体装着装置としては、例えばノート型のパーソナルコンピュータ等の電子装置に接続されるＣＤ−ＲＯＭ装置がある。ノート型のパーソナルコンピュータでは、ＣＤ−ＲＯＭ装置をパーソナルコンピュータと別体とすることにより、薄型化及び軽量化が促進されている。
【０００３】
この種のＣＤ−ＲＯＭ装置では、ケーブル、コネクタを介してノート型のパーソナルコンピュータに接続され、装着されたコンパクト・ディスク（以下、単に「ディスク」と称す）に記憶された情報を光学ピックアップにより読み取ると共に、読み取った情報をパーソナルコンピュータへ転送する。
図１９は従来の記録媒体装着装置が適用されたＣＤ−ＲＯＭ装置を説明するための図であり、（Ａ）はカバーが閉じた状態を示す側面図、（Ｂ）はカバーが開いた状態を示す側面図である。
【０００４】
図１９（Ａ）に示されるように、ＣＤ−ＲＯＭ装置１は、ディスクが装着されるトレイ２と、トレイ２を開閉するように回動可能に支持されたカバー３とを有する。カバー３は、ディスクの取り出しあるいはディスクの装着が行われる際に開かれ、ディスク装着時には閉じた状態で係止される。
４はイジェクト用の操作ノブで、トレイ２の側面に摺動可能に設けられている。操作ノブ４は、カバー３の下面に突出する被係止部５を係止する鉤型の係合部４ａを有する。そして、操作ノブ４は、バネ部材（図示せず）によりＡ方向に附勢されているため、被係止部５を係止した位置に保持される。
【０００５】
従って、カバー３は、閉位置にあるときは、操作ノブ４により係止されてターンテーブル（図示せず）に装着されたディスクを保護する。
図１９（Ｂ）に示されるように、カバー３は、トーションバネ（図中、破線で示す）６のバネ力により開方向に附勢されている。そのため、操作ノブ４がＢ方向に操作されて係止解除位置に至ると、カバー３はトーションバネ６のバネ力により開方向に回動する。
【０００６】
従って、カバー３は、操作ノブ４が係止解除方向に操作されると、トーションバネ６のバネ力により開方向に回動してディスク装着部を露出させる。そして、操作者は、ターンテーブルに装着されたディスクを取り出し、あるいはディスクをターンテーブルに装着した後、カバー３を閉じ方向に回動させて操作ノブ４の係合部４ａに係止させる。
【０００７】
【発明が解決しようとする課題】
上記のように構成された従来の記録媒体装着装置では、ディスクの取り出し、及びディスクの装着を行う場合、手動操作で操作ノブ４を係止解除方向に操作することによりカバー３を開方向へ回動させる必要がある。
しかしながら、パーソナルコンピュータの操作中にディスクの取り出し操作またはディスクの装着操作を行う場合、記録媒体装着装置の側面等に配設された操作ノブ４を探す必要がある。そのため、従来のものは、パーソナルコンピュータのディスプレイから目を離して記録媒体装着装置を操作することになるので、パーソナルコンピュータの操作を中断しなければならず、煩わしいといった問題がある。
【０００８】
そこで、本発明は上記課題を解決した記録媒体装着装置を提供することを目的とする。
【０００９】
【課題を解決するための手段】
上記課題を解決するために本発明では、以下のような特徴を有する。
【００１１】
上記請求項１記載の発明は、記録媒体が装着される装着部と、
前記装着部を覆う閉位置または前記装着部を露出する開位置へ移動可能に設けられたカバーと、
該カバーを閉位置で係止する係止部材と、
手動操作により前記係止部材を係止解除位置へ移動させる手動操作部と、
イジェクト用制御信号の供給により駆動されるモータと、
該モータからの駆動力を伝達部材を介して伝達し、前記係止部材を係止解除位置へ移動させる駆動力伝達機構と、を備えており、
前記駆動力伝達機構は、前記手動操作部が係止解除方向に操作されたとき、前記係止部材を係止解除位置へ移動させる伝達部材をイジェクト動作前の位置へ復帰させるリセット機構を備えてなることを特徴とする。
【００１２】
従って、請求項１記載の発明によれば、駆動力伝達機構が手動操作部が係止解除方向に操作されたとき、係止部材を係止解除位置へ移動させる伝達部材をイジェクト動作前の位置へ復帰させるリセット機構を有するため、伝達部材が係止部材を開始解除位置に位置させた状態で電源が切断されたとしても、手動操作によりリセット機構を動作させることで、伝達部材をイジェクト動作前の位置（伝達部材が係止部材を係止解除位置に移動させない位置）へ復帰させることができる。
また、請求項２記載の発明は、前記請求項１記載の記録媒体装着装置であって、
前記リセット機構は、前記モータと前記伝達部材との間の駆動力伝達経路を分断させ、付勢部材の押圧力により前記伝達部材をイジェクト動作前の位置へ復帰させることを特徴とする。
【００１３】
従って、請求項２記載の発明によれば、リセット機構がモータと伝達部材との間の駆動力伝達経路を分断させ、付勢部材の押圧力により伝達部材をイジェクト動作前の位置へ復帰させることにより、リセット動作をスムーズに行うことができる。
【００１４】
【発明の実施の形態】
次に、本発明の実施の形態について図面と共に説明する。
図１は本発明になる記録媒体装着装置が適用されたＣＤ−ＲＯＭ装置の一実施例を示す斜視図である。また、図２は記録媒体装着装置のカバーを外した状態の平面図である。
【００１５】
図１及び図２に示されるように、ＣＤ−ＲＯＭ装置１０は、ノート型パーソナルコンピュータ（図示せず）に接続ケーブルを介して接続されるポータブル型の装置である。このＣＤ−ＲＯＭ装置１０は、記録媒体としてのディスク（図示せず）が収納されるトレイ１１と、トレイ１１の上面に設けられたディスク装着部１２と、ディスク装着部１２を開閉するカバー１４とからなる記録媒体装着装置を有する。
【００１６】
ディスク装着部１２は、装着されたディスクを回転駆動するターンテーブル１６を有する。尚、図１及び図２において、ターンテーブル１６の下部には、ターンテーブル１６を回転駆動するスピンドルモータが設けられているが、ターンテーブル１６に隠れて見えない。
また、トレイ１１には、ターンテーブル１６に装着されたディスクに記録された情報を読み取る光ピックアップ１８が設けられている。この光ピックアップ１８は、トレイ１１の内部に設けられたピックアップ駆動機構（図示せず）によりディスク半径方向に形成された開口１９に沿って移動すると共に、対物レンズ１８ａからレーザ光をディスクの記録面に照射して反射光から情報を読み取る。
【００１７】
また、トレイ１１には、カバー１４の開動作によりディスクを制動するディスク制動機構１７が設けられている。このディスク制動機構１７は、カバー１４を開いたときにディスクの回転を制動する制動部材２０と、カバー１４が閉蓋しているときに制動部材２０を制動解除位置へ移動させる制動解除ピン４５とを有する。従って、制動部材２０は、カバー１４が閉じているときは、カバー１４の下面に設けられた制動解除ピン４５に押圧されてディスク装着部１２の外側に移動しており、ターンテーブル１６に装着されたディスクから離間している。
【００１８】
また、ＣＤ−ＲＯＭ装置１０は、手動操作によりカバー１４の係止を解除する手動イジェクト機構とパーソナルコンピュータ等からの制御信号によりモータが駆動されてカバー１４の係止を解除する電動イジェクト機構とを組み合わせたイジェクト機構２１を有する。
トレイ１１は、左側面に手動操作用のイジェクト操作ノブ２２を有する。このイジェクト操作ノブ２２は、Ａ，Ｂ方向に摺動可能に設けられており、Ａ方向の摺動位置がカバー１４を係止する係止位置であり、Ｂ方向の摺動位置がカバー１４の係止を解除する係止解除位置である。また、トレイ１１の上面には、イジェクト操作ノブ２２が係止解除方向に操作されると、同方向に押圧されてＢ方向に摺動する係止部材２４が設けられている。
【００１９】
さらに、トレイ１１の内部には、係止部材２４を係止解除方向に駆動する係止解除駆動部２６（図２中、破線で示す）が設けられている。この係止解除駆動部２６は、駆動手段としてのイジェクト用モータ２８と、モータ２８の駆動力を係止部材２４に伝達する駆動力伝達機構３０とからなる。
カバー１４は、トレイ１１の後部に設けられた３箇所の軸受部３２により開閉方向に回動可能に支持されると共に、カバー開機構３４により開方向に附勢されている。カバー開機構３４は、後述するように、カバー１４を開方向に附勢するトーションバネ３６と、トーションバネ３６に支持されたローラ３８と、カバー１４に設けられローラ３８に当接するカム部４０とからなる。
【００２０】
また、カバー１４の下面には、係止部材２４に係止される被係止部４２と、トレイ１１内に取り付けられたマイクロスイッチ（図示せず）に当接してカバー１４が閉位置に移動したことを検出するための検出ピン４４と、制動解除ピン４５とが突出している。
図３はイジェクト機構２１の構成を示す分解斜視図である。また、図４はイジェクト機構２１の組立状態を示す斜視図である。
【００２１】
図３及び図４に示されるように、イジェクト機構２１は、イジェクト操作ノブ２２、係止部材２４、モータ２８、駆動力伝達機構３０等から構成されている。イジェクト操作ノブ２２は、トレイ１１の側面に露出する操作部２２ａと、トレイ１１の内部でＡ，Ｂ方向に摺動可能に保持される摺動部２２ｂと、摺動部２２ｂに設けられた長方形状の係合孔２２ｃと、Ａ方向に附勢するコイルバネ３１の一端３１ａが掛止される掛止孔２２ｄとを有する。
【００２２】
係止部材２４は、イジェクト操作ノブ２２の摺動部２２ｂの下方でＡ，Ｂ方向に摺動可能に設けられた摺動ベース２４ａと、摺動ベース２４ａの上面に起立してイジェクト操作ノブ２２の係合孔２２ｃに挿入される係合部２４ｂと、摺動ベース２４ａよりＡ方向に延在形成された腕部２４ｅの端部に設けられたリセット用突部２４ｃと、Ａ方向に附勢するコイルバネ３３が収容されるバネ挿入孔２４ｆ（図６参照）とを有する。
【００２３】
また、係合部２４ｂは、その先端にカバー１４に設けられた被係止部４２に係合する鉤部２４ｄを有し、カバー１４が閉位置に回動したとき被係止部４２に係合してカバー１４を係止する。
駆動力伝達機構３０は、トレイ１１内に固定されるベース４６に設けられており、パーソナルコンピュータ等からのイジェクト信号により駆動されるイジェクト用モータ２８と、モータ２８により回転駆動されるウォームギヤ５０と、ウォームギヤ５０に噛合する大径ギヤ５２ａを有する第１ギヤ５２と、第１ギヤ５２の小径ギヤ５２ｂに噛合する大径ギヤ５４ａを有する第２ギヤ５４と、第２ギヤ５４の小径ギヤ５４ｂに噛合する移動ギヤ５６と、移動ギヤ５６に噛合するカムギヤ（伝達部材）５８と、移動ギヤ５６を回転可能に支持する移動プレート６０と、移動プレート６０に連結されるリセットレバー６２及びカムギヤ５８が初期位置に移動したことを検出するための検出スイッチ６４とからなる。
【００２４】
ベース４６は、モータ２８を支持される第１支持部４６ａと、ウォームギヤ５０を回転自在に支持する第２支持部４６ｂと、第１ギヤ５２の軸（図３では隠れて見えない）を支持する孔４６ｃと、第２ギヤ５４の軸５４ｃを支持する孔４６ｄと、カムギヤ５８の軸５８ａを支持する孔４６ｅと、リセットレバー６２の軸６２ａを支持する孔４６ｆと、検出スイッチ６４を支持する第３支持部４６ｇと、リーフスプリング６６を支持する第４支持部４６ｈと、移動プレート６０の初期位置を規制するストッパ４６ｉとを有する。
【００２５】
カムギヤ５８は、下面側に係止部材２４をイジェクト方向（Ｂ方向）に押圧する第１カム５８ｂを有し、上面側には検出スイッチ６４の検出部６４ａに当接する第２カム５８ｃと、第２カム５８ｃより上方に突出する偏心ピン５８ｄとを有する。
カムギヤ５８の偏心ピン５８ｄは、ベース４６に設けられたリーフスプリング６６に押圧されている。そのため、カムギヤ５８は、後述するように手動イジェクト操作時にリーフスプリング６６の押圧力でリセット動作を行う方向（初期位置の方向）に回動する。
【００２６】
移動プレート６０は、第２ギヤ５４の軸５４ｃが挿通される第１孔６０ａと、移動ギヤ５６の軸５６ａが支持される第２孔６０ｂと、リセットレバー６２の一端より突出するピン６２ｂが嵌合する第３孔６０ｃと、コイルバネ６１の一端が掛止されるバネ掛止部６０ｄと、ベース４６のストッパ４６ｉに当接して初期位置を規制するための当接部６０ｅとを有する。
【００２７】
また、移動プレート６０は、第２ギヤ５４の軸５４ｃを中心に回動自在に支持されており、リセットレバー６２の回動によりピン６２ｂが第３孔６０ｃを押圧すると、その押圧方向に回動する。
そして、移動プレート６０に支持された移動ギヤ５６は、通常、第２ギヤ５４の小径ギヤ５４ｂ及びカムギヤ５８のギヤ５８ｅに噛合しており、第２ギヤ５４の回転力をカムギヤ５８に伝達している。しかしながら、イジェクト操作ノブ２２がＢ方向に手動操作された場合、移動ギヤ５６は、リセットレバー６２の回動によりカムギヤ５８のギヤ５８ｅから離間して駆動力伝達系路を遮断する。
【００２８】
リセットレバー６２は、上記ピン６２ｂを有する第１腕部６２ｃと、第１腕部６２ｃの延在方向に対し逆方向に延在する第２腕部６２ｄとを有する。第２腕部６２ｄは、イジェクト操作ノブ２２がＢ方向に手動操作される過程で係止部材２４が係止解除位置に移動すると共に、係止部材２４のリセット用突部２４ｃにより押圧されてリセット方向（反時計方向）に回動する。
【００２９】
図５はイジェクト機構２１の初期状態を示す平面図である。また、図６は図５中VI−VI線に沿う縦断面図である。
図５及び図６に示されるように、イジェクト機構２１の初期状態では、イジェクト操作ノブ２２及び係止部材２４がコイルバネ３１及びコイルバネ３３のバネ力によりＡ方向に移動している。
【００３０】
また、移動プレート６０に支持された移動ギヤ５６は、第２ギヤ５４の小径ギヤ５４ｂ及びカムギヤ５８のギヤ５８ｅに噛合しており、駆動力伝達機構３０がモータ２８の駆動力をイジェクト操作ノブ２２及び係止部材２４へ伝達可能な状態になっている。
また、係止部材２４は、コイルバネ３３に押圧されてＡ方向に移動しているので、係合部２４ｂの鉤部２４ｄがカバー１４に設けられた被係止部４２に係合し、カバー１４を閉位置に係止している。
【００３１】
尚、図５においては隠れて見えないが、移動プレート６０は、コイルバネ６１のバネ力により反時計方向に回動附勢されており、当接部６０ｅがストッパ４６ｉに当接して初期位置に保持されている（図９参照）。
ここで、手動操作によるイジェクト動作について説明する。
図７は手動イジェクト操作の動作を説明するための平面図である。また、図８は図７中ＶIII −ＶIII 線に沿う縦断面図である。
【００３２】
図７及び図８に示されるように、イジェクト操作ノブ２２が手動操作によりＢ方向に摺動すると、係合孔２２ｃの縁部が係止部材２４の係合部２４ｂをＢ方向に押圧する。これにより、係止部材２４は、Ｂ方向に摺動して係合部２４ｂの鉤部２４ｄがカバー１４に設けられた被係止部４２から離間してカバー１４の係止を解除する。
【００３３】
その結果、カバー１４はトーションバネ３６のバネ力により上方に回動してトレイ１１のディスク装着部１２を開とする。尚、本実施例では、係止部材２４がＢ方向に摺動してカバー１４の係止を解除すると、カバー１４が所定角度回動した位置で停止する。その後、操作者が手動でカバー１４を上方に回動させると、ディスク装着部１２が全開となる。これで、ディスクの装着あるいは取り出しが行える。
【００３４】
尚、イジェクト操作ノブ２２は、Ａ，Ｂ方向の移動ストロークのうち、前半部分によって手動イジェクト動作を行い、後半部分によってリセット動作を行うように設けられている。また、手動イジェクト時は、図７に示されるように係止部材２４のリセット用突部２４ｃは、リセットレバー６２に当接していない。
従って、手動イジェクトの操作は、係止部材２４のリセット用突部２４ｃがリセットレバー６２をリセット方向に押圧していないので、後述するリセット機構６７を動作させることなく行うことができるので、リセット機構６７が手動イジェクト操作の操作性を損なうことがない。
【００３５】
次に電動イジェクト動作について説明する。
図９は電動イジェクト動作を説明するための平面図である。また、図１０は図９中Ｘ−Ｘ線に沿う縦断面図である。
図９及び図１０に示されるように、例えばパーソナルコンピュータ等からイジェクト動作を行わせる制御信号が供給されると、モータ２８が駆動される。モータ２８の回転駆動力は、モータ２８の回転軸２８ａに結合されたウォームギヤ５０、ウォームギヤ５０に噛合する第１ギヤ５２、第１ギヤ５２に噛合する第２ギヤ５４、第２ギヤ５４に噛合する移動ギヤ５６、移動ギヤ５６に噛合するカムギヤ５８に伝達される。
【００３６】
これにより、カムギヤ５８は、反時計方向に回動し、第１カム５８ｂが係止部材２４の摺動ベース２４ａをＢ方向に押圧する。そのため、係止部材２４は、イジェクト方向（Ｂ方向）に摺動して係合部２４ｂの鉤部２４ｄがカバー１４に設けられた被係止部４２から離間してカバー１４の係止を解除する。
その結果、カバー１４はトーションバネ３６のバネ力により上方に回動してトレイ１１のディスク装着部１２を開とする。その際、係止部材２４の係合部２４ｂが係合孔２２ｃ内をＢ方向に移動するため、イジェクト操作ノブ２２はＢ方向に移動せず、停止している。
【００３７】
従って、電動によりイジェクト動作させる場合、係止部材２４のみがＢ方向に移動するため、イジェクト操作ノブ２２が摺動して何かに引っ掛かるといったおそれがない。
また、係止部材２４が係止解除位置に移動する途中の段階で、カムギヤ５８の第２カム５８ｃが検出スイッチ６４の検出部６４ａに当接する。これで検出スイッチ６４は、オンになり、その検出信号を制御回路（図示せず）に出力する。さらに、カムギヤ５８が反時計方向に回動してカムギヤ５８の第２カム５８ｃが検出スイッチ６４の検出部６４ａを通過して初期状態に復帰すると、検出スイッチ６４がオフに切り替わる。
【００３８】
これにより、制御回路（図示せず）は、イジェクト動作が完了したことを認識し、モータ２８への通電を停止する。その結果、モータ２８は、ウォームギヤ５０の回転を停止させる。すなわち、カムギヤ５８は、１回転（３６０度）回動した時点で停止する。
このように、ＣＤ−ＲＯＭ装置１０では、例えばパーソナルコンピュータの操作中にディスクの取り出し操作またはディスクの装着操作を行う場合、手動操作で係止部材２４をイジェクト動作させることができると共に、電動により係止部材２４をイジェクト動作させることもできるので、パーソナルコンピュータのディスプレイから目を離さずにカバー１４を開くことができ、ディスクの装着または交換時の煩わしさを解消することができる。
【００３９】
次にリセット操作について説明する。
例えば、上記のように電動イジェクト動作中に電源スイッチがオフに操作されてイジェクト動作が途中で停止した場合、係止部材２４が移動途中で停止しているので、カバー１４を閉位置で係止できなくなる。そのような場合、イジェクト操作ノブ２２をＢ方向に摺動させてリセット操作を行うことにより、係止部材２４を初期状態の係止位置に復帰させることができる。
【００４０】
図１１はリセット動作を説明するための平面図である。また、図１２は図１１中ＸII−ＸII線に沿う縦断面図である。
図１１及び図１２に示されるように、電動イジェクト動作が途中で停止した場合には、手動操作でイジェクト操作ノブ２２をＢ方向に摺動させる。これにより、係止部材２４が係止解除位置に移動すると共に、係止部材２４のリセット用突部２４ｃがリセットレバー６２の第２腕部６２ｄに当接する。そのため、リセットレバー６２は、リセット方向（反時計方向）に回動し、第１腕部６２ｃに設けられたピン６２ｂが係合する移動プレート６０をコイルバネ６１のバネ力に抗して時計方向に回動させる。
【００４１】
これにより、移動プレート６０に支持された移動ギヤ５６は、第２ギヤ５４の小径ギヤ５４ｂの周りを自転しつつ公転することによって、カムギヤ５８のギヤ５８ｅから離間してカムギヤ５８をフリーな状態とする。すなわち、駆動力伝達機構３０では、モータ２８の回転駆動力がウォームギヤ５０を介して各ギヤ５２，５４，５６，５８に伝達されるため、係止部材２４を移動させてもカムギヤ５８を回動させることができなかった。
【００４２】
しかしながら、上記のように移動ギヤ５６がカムギヤ５８から離間することによりカムギヤ５８が自由に回動することが可能になる。この状態でカムギヤ５８の偏心ピン５８ｄがリーフスプリング６６に押圧されるため、カムギヤ５８には偏心ピン５８ｄを介して回転力が作用する。よって、カムギヤ５８は、図１１中太線で示すようにリーフスプリング６６の押圧力で初期状態に復帰する。
【００４３】
その結果、係止部材２４の摺動ベース２４ａをＢ方向に押圧していたカムギヤ５８の第１カム５８ｂが初期位置に復帰するため、係止部材２４は図５及び図６に示す初期状態に復帰する。これで、カバー１４を閉位置で係止することが可能になる。
尚、本実施例では、上記係止部材２４のリセット用突部２４ｃ、リセットレバー６２、移動プレート６０、移動ギヤ５６、カムギヤ５８、リーフスプリング６６によりリセット機構６７が構成されている。
【００４４】
図１３はカバー開機構３４を拡大して示す斜視図である。また、図１４はカバー開機構３４を拡大して示す側断面図である。尚、図１３はカバー１４が全開位置に回動したときの状態を示しており、図１４はカバー１４が閉位置に係止された状態を示している。
図１３及び図１４に示されるように、カバー開機構３４は、カバー１４を開方向に附勢するトーションバネ３６と、トーションバネ３６に支持されたローラ３８と、カバー１４に設けられローラ３８に当接するカム部４０とからなる。また、カバー１４の軸受部３２とトレイ１１の軸受部６８との間には、軸７０が挿通されており、この軸７０を中心に上下方向に回動して開閉する。
【００４５】
トーションバネ３６は、コイル部３６ａと、コイル部３６ａの一側から接線方向に延在してトレイ１１に掛止される掛止部３６ｂと、コイル部３６ａの他側から接線方向に延在し先端部分がＵ字状に折曲されたローラ支持部３６ｃとを有する。トーションバネ３６のローラ支持部３６ｃは、ローラ３８が回転自在に支持されている。
【００４６】
ローラ３８は、カム部４０に当接する円筒状の回転部３８ａと、回転部３８ａの両側に設けられた回転部３８ａより大径な鍔部３８ｂ，３８ｃとからなる。また、ローラ３８は、一対の鍔部３８ｂ，３８ｃの間隔がカム部４０の幅よりも若干広い寸法に形成されており、鍔部３８ｂ，３８ｃがカム部４０の側面に当接して回転部３８ａがカム部４０から外れないようにしている。
【００４７】
カム部４０は、カバー１４が閉位置で係止されたときローラ３８が当接する第１のカム面４０ａと、カバー１４を半開位置で掛止する段部４０ｂと、カバー１４を全開位置に押圧する際に当接する第２のカム面４０ｃとを有する。
次に上記カバー開機構３４の動作について説明する。
図１５はカバー１４の開動作の第１段階を示す側面図である。また、図１６はカバー１４の開動作の第２段階を示す側面図である。
【００４８】
前述したように、手動操作または電動により係止部材２４がカバー１４の係止解除方向（Ｂ方向）に移動すると、係合部２４ｂの鉤部２４ｄがカバー１４に設けられた被係止部４２から離間してカバー１４の係止を解除する。
これにより、カバー１４は、トーションバネ３６のバネ力により開方向に附勢されているので、係止部材２４の係止解除動作と共に上方に回動する。カバー１４が閉位置に係止されているときは、図１４に示されるように、トーションバネ３６に設けられたローラ３８がカム部４０の第１のカム面４０ａに当接している。トーションバネ３６のバネ力がローラ３８を介してカム部４０の第１のカム面４０ａ作用している。
【００４９】
そして、係止部材２４による係合部２４ｂの係止が解除されると共に、カバー１４は上方に回動しはじめる。このカバー１４の開方向への回動に伴って、ローラ３８は、図１５に示されるように、カム部４０の第１のカム面４０ａを転動して段部４０ｂに当接する。
この段階では、カム部４０の段部４０ｂがローラ３８に当接することによりカバー１４の開動作が制限される。すなわち、ローラ３８を支持するトーションバネ３６の回転半径とカム部４０の段部４０ｂの回動半径とが交差しているので、カム部４０の段部４０ｂは、ローラ３８によって開方向への回動が阻止される。従って、カバー１４は、上記のように係止部材２４のイジェクト動作が行われてもローラ３８がカム部４０の段部４０ｂに当接する半開位置で停止する。
【００５０】
このように、カバー１４が半開位置で停止するため、トレイ１１内のディスク装着部１２に装着されたディスクが惰性で回転している状態でカバー１４が全開になることが防止される。
そして、操作者は、図１６に示されるように、半開状態のカバー１４を手動で開方向に回動させてカバー１４を全開させる。カバー１４が所定角度で傾斜した全開位置に回動すると、カバー１４の後部に設けられた突部１４ａがトレイ１１の後部に設けられた当接部１１ａに当接してカバー１４を全開位置に保持すると共に、カバー１４の開方向への回動が規制される。尚、ターンテーブル１６を回転するモータは、イジェクト操作により回転を停止させるが、実際には惰性によりおよそ１〜３秒間かかって停止する。従って、カバー１４は、ターンテーブル１６が停止した後、全開させられる。
【００５１】
次にディスク制動機構１７による制動部材２０の制動及び制動解除動作について説明する。
図１７はディスク制動機構１７の動作を説明するための図であり、（Ａ）はカバー閉蓋時の状態を示す縦断面図、（Ｂ）カバー半開時の状態を示す縦断面図、（Ｃ）カバー全開時の状態を示す縦断面図である。
【００５２】
図１７（Ａ）に示されるように、ディスク制動機構１７は、ディスク装着部１２の周縁に設けられた制動部材２０と、カバー１４に設けられた制動解除ピン４５と、制動部材２０の端部に固着された摩擦部材７２と、制動部材２０を制動方向（Ｃ方向）に附勢するコイルバネ７４とからなる。尚、摩擦部材７２は、例えばシリコンゴム等の摩擦係数の高い材質により形成されている。
【００５３】
制動部材２０は、トレイ１１のガイド孔７６に摺動可能に挿入されており、ディスク装着部１２に対向する一端に摩擦部材７２の取付部２０ａを有し、他端にはコイルバネ７４が挿入される孔２０ｂが設けられている。また、制動部材２０は、上下方向に貫通する係合孔２０ｃと、係合孔２０ｃに連通する傾斜部２０ｄとを有する。
【００５４】
カバー１４が閉位置にあるとき、制動解除ピン４５は制動部材２０に設けられた係合孔２０ｃに係合している。また、制動部材２０は、制動解除ピン４５により制動解除方向（Ｄ方向）に移動しており、摩擦部材７２がディスク７８の外周から離間している。すなわち、制動部材２０は、ディスク７８に対する制動を解除しており、ディスク７８は制動されずに回転できる。
【００５５】
図１７（Ｂ）に示されるように、前述したイジェクト操作によりカバー１４が半開状態になると、制動解除ピン４５が上昇するため、制動部材２０は、Ｃ方向に移動する。そして、制動解除ピン４５の先端が制動部材２０の傾斜部２０ｄに当接するため、摩擦部材７２はディスク７８の外周に近接するだけ、ディスク７８に制動力を付与していない。
【００５６】
このとき、ターンテーブル１６を回転駆動するモータには、逆起電力が印加されており、これによりモータの回転が減速される。従って、カバー１４が半開状態の間にモータに回転数が減速される。
図１７（Ｃ）に示されるように、カバー１４が全開位置に回動されると、制動解除ピン４５が制動部材２０の傾斜部２０ｄから離間する。そのため、制動部材２０は、制動解除ピン４５による規制が解除されてＣ方向に移動する。
【００５７】
これにより、制動部材２０の端部に固着された摩擦部材７２は、ディスク７８の外周に当接して制動力をディスク７８に付与する。これで、ディスク７８がカバー１４の全開動作時に未だ回転している場合には、ディスク７８を強制的に停止させることができる。
また、ディスク７８が装着された後、カバー１４が閉蓋されると、上記開蓋動作と逆の動作により制動解除ピン４５が制動部材２０の傾斜部２０ｄを押圧して制動解除方向（Ｄ方向）に移動させる。そして、制動解除ピン４５が制動部材２０の係合孔２０ｃに嵌合すると、制動部材２０は摩擦部材７２がディスク７８から離間した制動解除位置に保持される。
【００５８】
次にディスク制動機構１７の変形例について説明する。
図１８はディスク制動機構１７の変形例の動作を説明するための図であり、（Ａ）はカバー閉蓋時の状態を示す縦断面図、（Ｂ）カバー半開時の状態を示す縦断面図である。
図１８（Ａ）に示されるように、カバー１４が閉位置にあるとき、制動解除ピン４５は制動部材２０に設けられた係合孔２０ｃに係合している。また、制動部材２０は、制動解除ピン４５により制動解除方向（Ｄ方向）に移動しており、摩擦部材７２がディスク７８の外周から離間している。
【００５９】
図１８（Ｂ）に示されるように、イジェクト操作によりカバー１４が半開状態になると、制動解除ピン４５が上昇して制動部材２０の傾斜部２０ｄから離間する。そのため、制動部材２０は、制動解除ピン４５による規制が解除されてＣ方向に移動する。
これにより、制動部材２０の端部に固着された摩擦部材７２は、ディスク７８の外周に当接して制動力をディスク７８に付与する。その結果、ディスク７８は、カバー１４の半開動作時に伴って摩擦部材７２の押圧により制動されて停止する。
【００６０】
この変形例では、カバー１４が半開状態になったときに摩擦部材７２がディスク７８の外周に当接するように構成されているので、カバー１４を全開にするときにはディスク７８が停止している。
尚、上記実施の形態では、ＣＤ−ＲＯＭ装置１０に用いられた構成を一例として挙げたが、これに限らず、例えばＣＤ−Ｒ装置、ＣＤ−ＲＷ装置、ＤＶＤ装置、あるいは光磁気ディスク装置などにも適用できるのは勿論である。
【００６１】
【発明の効果】
上述の如く、請求項１記載の発明によれば、駆動力伝達機構が手動操作部が係止解除方向に操作されたとき、係止部材を係止解除位置へ移動させる伝達部材をイジェクト動作前の位置へ復帰させるリセット機構を有するため、伝達部材が係止部材を開始解除位置に位置させた状態で電源が切断されたとしても、手動操作によりリセット機構を動作させることで、伝達部材をイジェクト動作前の位置（伝達部材が係止部材を係止解除位置に移動させない位置）へ復帰させることができる。
【００６２】
また、請求項２記載の発明によれば、リセット機構がモータと伝達部材との間の駆動力伝達経路を分断させ、付勢部材の押圧力により伝達部材をイジェクト動作前の位置へ復帰させることにより、リセット動作をスムーズに行うことができる。
【図面の簡単な説明】
【図１】本発明になる記録媒体装着装置が適用されたＣＤ−ＲＯＭ装置の一実施例を示す斜視図である。
【図２】記録媒体装着装置のカバーを外した状態の平面図である。
【図３】イジェクト機構２１の構成を示す分解斜視図である。
【図４】イジェクト機構２１の組立状態を示す斜視図である。
【図５】イジェクト機構２１の初期状態を示す平面図である。
【図６】図５中VI−VI線に沿う縦断面図である。
【図７】手動イジェクト操作の動作を説明するための平面図である。
【図８】図７中ＶIII −ＶIII 線に沿う縦断面図である。
【図９】電動イジェクト動作を説明するための平面図である。
【図１０】図９中Ｘ−Ｘ線に沿う縦断面図である。
【図１１】リセット動作を説明するための平面図である。
【図１２】図１１中ＸII−ＸII線に沿う縦断面図である。
【図１３】カバー開機構３４を拡大して示す斜視図である。
【図１４】カバー開機構３４を拡大して示す側断面図である。
【図１５】カバー１４の開動作の第１段階を示す側面図である。
【図１６】カバー１４の開動作の第２段階を示す側面図である。
【図１７】ディスク制動機構１７の動作を説明するための図であり、（Ａ）はカバー閉蓋時の状態を示す縦断面図、（Ｂ）カバー半開時の状態を示す縦断面図、（Ｃ）カバー全開時の状態を示す縦断面図である。
【図１８】ディスク制動機構１７の変形例の動作を説明するための図であり、（Ａ）はカバー閉蓋時の状態を示す縦断面図、（Ｂ）カバー半開時の状態を示す縦断面図である。
【図１９】従来の記録媒体装着装置が適用されたＣＤ−ＲＯＭ装置を説明するための図であり、（Ａ）はカバーが閉じた状態を示す側面図、（Ｂ）はカバーが開いた状態を示す側面図である。
【符号の説明】
１０  ＣＤ−ＲＯＭ装置
１１  トレイ
１２  ディスク装着部
１４  カバー
１６  ターンテーブル
１７  ディスク制動機構
１８  光ピックアップ
２０  制動部材
２１  イジェクト機構
２２  イジェクト操作ノブ
２４  係止部材
２６  係止解除駆動部
２８  モータ
３０  駆動力伝達機構
３４  カバー開機構
３６  トーションバネ
３８  ローラ
４０  カム部
４２  被係止部
４４  検出ピン
４５  制動解除ピン
４６  ベース
５０  ウォームギヤ
５２  第１ギヤ
５４  第２ギヤ
５６  移動ギヤ
５８  カムギヤ
６０  移動プレート
６２  リセットレバー
６４  検出スイッチ
７２  摩擦部材
７６  ガイド孔
７８  ディスク
【図１】
0003747715.tif 000002
【図２】
0003747715.tif 000003
【図３】
0003747715.tif 000004
【図４】
0003747715.tif 000005
【図５】
0003747715.tif 000006
【図６】
0003747715.tif 000007
【図７】
0003747715.tif 000008
【図８】
0003747715.tif 000009
【図９】
0003747715.tif 000010
【図１０】
0003747715.tif 000011
【図１１】
0003747715.tif 000012
【図１２】
0003747715.tif 000013
【図１３】
0003747715.tif 000014
【図１４】
0003747715.tif 000015
【図１５】
0003747715.tif 000016
【図１６】
0003747715.tif 000017
【図１７】
0003747715.tif 000018
【図１８】
0003747715.tif 000019
【図１９】
0003747715.tif 000020